(57)【要約】【課題】  底蓋を開けたときに、集塵室内にたまった塵埃を容易に排出することのできる電気掃除機の集塵容器を提供する。【解決手段】  掃除機本体に着脱自在に取り付けられ、掃除機本体内の電動送風機によって吸い込まれた吸込風が通ることにより、吸込風に含まれる塵埃を捕集して収容する電気掃除機の集塵容器１１であって、底が開放された容器本体１３と、底を開閉すべく容器本体１３に設けられた底蓋１４とを有し、容器本体１３の内部は仕切壁２４で仕切られて第１の集塵室２５と第２の集塵室２６とに分割され、かつ仕切壁２４にはネットフィルタ２７が設けられて、第１の集塵室２５へ流れ込んだ吸込風はフィルタ２７を介して第２の集塵室２６へ流入する一方、第１の集塵室２５に捕集された塵埃の第２の集塵室２６への流入がフィルタ２７で阻止され、さらに底蓋１４には、第１の集塵室２５に捕集された塵埃を、底蓋１４の開放動作に連動して掻き出す掻き出し部材３５が設けられている。【選択図】        図１
2005152388.tif 000002
【特許請求の範囲】
【請求項１】
掃除機本体に着脱自在に取り付けられ、前記掃除機本体内の電動送風機によって吸い込まれた吸込風が通ることにより、該吸込風に含まれる塵埃を捕集して収容する電気掃除機の集塵容器であって、
前記塵埃を重力方向に排出する開放部を有する容器本体と、前記開放部を開閉すべく前記容器本体に設けられた蓋体とを有し、
前記容器本体の内部は仕切壁で仕切られて第１の集塵室と第２の集塵室とに分割され、かつ前記仕切壁にはフィルタが設けられて、前記第１の集塵室へ流れ込んだ前記吸込風は前記フィルタを介して前記第２の集塵室へ流入する一方、前記第１の集塵室に捕集された塵埃の前記第２の集塵室への流入が前記フィルタで阻止され、
さらに前記蓋体には、前記第１の集塵室に捕集された塵埃を、前記蓋体の開放動作に連動して掻き出す掻き出し部材が設けられていることを特徴とする電気掃除機の集塵容器。
【請求項２】
前記掻き出し部材は、前記フィルタに沿って配置されていることを特徴とする請求項１に記載の電気掃除機の集塵容器。
【請求項３】
前記掻き出し部材は、前記蓋体の開放動作時に、前記フィルタから離れる方向に動くことを特徴とする請求項１又は２に記載の電気掃除機の集塵容器。
【請求項４】
前記蓋体と前記容器本体との間には付勢部材が設けられ、前記蓋体は前記付勢部材の付勢力を利用して開放されることを特徴とする請求項１に記載の電気掃除機の集塵容器。
【発明の詳細な説明】
【技術分野】
【０００１】
本発明は掃除機本体に着脱自在に取り付けられる集塵容器に係り、特に、塵埃を排出するために蓋体が開閉可能な電気掃除機の集塵容器に関する。
【背景技術】
【０００２】
電気掃除機の集塵容器は側部に把手が設けられ、この把手を手で持つことにより、集塵容器を掃除機本体に装着したり掃除機本体から取り外したりすることができる。このような集塵容器は、底蓋が開閉自在に取り付けられ、内部に塵埃（ゴミ）がたまったときは、集塵容器を掃除機本体から取り外し、底蓋を開いて塵埃を排出できるようになっている（例えば、特許文献１参照）。
【０００３】
また、底蓋が開閉自在な集塵容器として、図７に示すような集塵容器が知られている。この集塵容器１は、側部に把手２が設けられた略円筒形の容器本体３と、この容器本体３の下部に設けられた略円形状の底蓋４とを有している。底蓋４は一側がヒンジ５を介して容器本体３に取り付けられ、他側がクランプ６によって係止されている。そして、把手２内部のロッド７を操作して矢印Ａ方向に移動させて、クランプ６による係止を解除すると、底蓋４は自重で落下するとともにヒンジ５回りに反時計方向に回動し、これにより、底蓋４が開くため、容器本体３内部の第１の集塵室８および第２の集塵室９にたまった塵埃を排出することができる。
【０００４】
第１の集塵室８と第２の集塵室９とは仕切壁１０で仕切られ、かつ仕切壁１０にはフィルタ１０Ａが設けられて、第１の集塵室８に吹き込まれた吸込風はフィルタ１０Ａを介して第２の集塵室９に流れるようになっている。
【特許文献１】特開２００３−１９０９４号公報
【発明の開示】
【発明が解決しようとする課題】
【０００５】
しかしながら、上記特許文献１に記載された集塵容器や図７に示した集塵容器では、底蓋を開いても、集塵室の塵埃を容易に排出できないという問題がある。すなわち、集塵室の塵埃を捨てようとするときは、集塵室の内部に塵埃が大量にたまったときであり、特にこのような場合、塵埃は集塵室内で圧縮され例えばフィルタに押し付けられた状態となっているため、底蓋を開いたときに、塵埃はフィルタに引っ掛かってしまい、容易には落ちない。
【０００６】
本発明の課題は、蓋体を開けたときに、集塵室内にたまった塵埃を容易に排出することのできる電気掃除機の集塵容器を提供することにある。
【課題を解決するための手段】
【０００７】
上記課題を解決するために、本発明の特徴部分は、蓋体の開放動作に連動して集塵室内の塵埃を掻き出す手段を設けたことである。すなわち、本発明は、掃除機本体に着脱自在に取り付けられ、前記掃除機本体内の電動送風機によって吸い込まれた吸込風が通ることにより、該吸込風に含まれる塵埃を捕集して収容する電気掃除機の集塵容器であって、前記塵埃を重力方向に排出する開放部を有する容器本体と、前記開放部を開閉すべく前記容器本体に設けられた蓋体とを有し、前記容器本体の内部は仕切壁で仕切られて第１の集塵室と第２の集塵室とに分割され、かつ前記仕切壁にはフィルタが設けられて、前記第１の集塵室へ流れ込んだ前記吸込風は前記フィルタを介して前記第２の集塵室へ流入する一方、前記第１の集塵室に捕集された塵埃の前記第２の集塵室への流入が前記フィルタで阻止され、さらに前記蓋体には、前記第１の集塵室に捕集された塵埃を、前記蓋体の開放動作に連動して掻き出す掻き出し部材が設けられていることを特徴としている。
【０００８】
上記構成によれば、蓋体を開放すると、その開放動作に連動して掻き出し部材が作動して、第１の集塵室の塵埃を掻き出すので、集塵室内にたまった塵埃を容易に排出することができる。
【発明の効果】
【０００９】
本発明によれば、蓋体の開放動作に連動して第１の集塵室の塵埃が強制的に掻き出されるため、集塵室内にたまった塵埃を容易かつ確実に排出することが可能となる。
【発明を実施するための最良の形態】
【００１０】
以下、本発明の実施例を図面に従って説明する。
【００１１】
図１は本発明に係る電気掃除機の集塵容器の縦断面図である。この集塵容器１１は、側部に把手１２が設けられた略円筒形の容器本体１３と、この容器本体１３の下部に蓋体として設けられた略円形状の底蓋１４とを有している。把手１２の下部には、略Ｌ字状のクランプ１５がピン１６によって回動自在に取り付けられている。ピン１６の上方にはスプリング等の付勢部材１７が設けられ、クランプ１５は付勢部材１７によってピン１６回りに反時計方向に付勢されている。
【００１２】
容器本体１３の下部には、容器本体１３の中心軸に対してクランプ１５と反対側の位置にヒンジ１８が設けられ、底蓋１４はヒンジ１８を介して容器本体１３に取り付けられている。そして、クランプ１５による係止が解除されると、底蓋１４はヒンジ１８を中心に回動して容器本体１３内を重力方向に開放するようになっている。また、図示してないがヒンジ１８にはスプリングが設けられ、底蓋１４は前記スプリングによって常にヒンジ１８回りに反時計方向に付勢されている。
【００１３】
底蓋１４には、底蓋１４の中心軸に対してヒンジ１８と反対側の位置にフック１９が設けられ、このフック１９は把手１２下部のクランプ１５に係止されている。これにより、底蓋１４が閉められているときは、底蓋１４は容器本体１３に確実に固定され、底蓋１４が不用意に開くことがないようになっている。
【００１４】
把手１２は外側に向かって凸状に湾曲しており、その内部には空間２０が形成されて、この空間２０内に円弧状のロッド２１が配置されている。また、空間２０内には、把手１２の上下方向中央に支持部２２が設けられ、この支持部２２に形成された貫通孔（図示省略）にロッド２１が挿通されている。ロッド２１は矢印Ａ１，Ａ２方向に往復移動自在に設けられ、通常、支持部２２の上面とロッド２１間に介装されたコイルスプリング２３によって矢印Ａ１方向に付勢されている。
【００１５】
ロッド２１の上部には押しボタン部２１Ａが形成され、この押しボタン部２１Ａを指で押すと、ロッド２１全体が矢印Ａ２方向に変位する。また、ロッド２１の下部にはクランプ１５の上部に対向して当接部２１Ｂが形成され、ロッド２１の矢印Ａ２方向への変位で当接部２１Ｂはクランプ１５側へ移動する。
【００１６】
本体容器１３の内部には仕切壁２４が設けられ、本体容器１３内は、仕切壁２４によって、下部の第１の集塵室２５と上部の第２の集塵室２６とに分割されている。仕切壁２４は水平部２４Ａ、傾斜部２４Ｂおよび垂直部２４Ｃを備え、傾斜部２４Ｂには貫通孔２４Ｄが形成されて、この貫通孔２４Ｄにネットフィルタ２７が装着されている。ネットフィルタ２７が装着されているために、第１の集塵室２５で捕集された塵埃が第２の集塵室２６へ流入するのが阻止されている。
【００１７】
また、本体容器１３内には上部の吸込口２８に連通して第１の吸込風吹出部２９と第２の吸込風吹出部３０が設けられている。第１の吸込風吹出部２９は第１の集塵室２５内に、第２の吸込風吹出部３０は第２の集塵室２６内にそれぞれ配置され、吸込口２８から流入した吸込風をそれぞれ第１の集塵室２５および第２の集塵室２６へ吹き出すようになっている。なお、吸込風吹出部３０にはネットフィルタ３０Ａが設けられている。
【００１８】
また、第１の集塵室２６の上部にはフィルタ３１，３２が設けられ、第２の集塵室２６に吹き出された吸込風はフィルタ３１，３２を通過後、容器本体１３上部の排気口３３から掃除機本体側（電動送風機側）へ排出されるようになっている。
【００１９】
本実施例では、底蓋１４の蓋本体３４上に掻き出し部材３５が立設されている。掻き出し部材３５は仕切壁２４に沿って配置されている。すなわち、掻き出し部材３５は、仕切壁２４の垂直部２４Ｃに平行に配置された縦壁３５Ａと、縦壁３５Ａに一体的に形成され仕切壁２４の傾斜部２４Ｂに平行に配置された傾斜壁３５Ｂとを有している。掻き出し部材３５は、図３に示すように帯状をなしており、一つだけ設けられている。
【００２０】
次に、上記構成の集塵容器１１の作用について説明する。
【００２１】
集塵容器１１は、図６に示すように、電動送風機３６を内蔵した掃除機本体３７の前側（図の左側）に着脱自在に装着される。そして図１において、掃除機使用時には、吸込口２８から流入した吸込風がそれぞれ第１の集塵室２５および第２の集塵室２６へ吹き出すことにより、第１の集塵室２５および第２の集塵室２６にはサイクロンが発生し、吸込風に含まれていた塵埃は吸込風から分離して捕集され、第１の集塵室２５および第２の集塵室２６の内部にそれぞれ収容される。
【００２２】
集塵容器１１内に塵埃がたまったときは、集塵容器１１を掃除機本体３７から取り外してゴミ箱等の上方に持っていき、把手１２上部の押しボタン部２１Ａを押すと、ロッド２１が矢印Ａ２方向へ変位して、ロッド２１下部の当接部２１Ｂがクランプ１５の上部を付勢部材１７の付勢力に抗して容器本体１３側へ押圧する。すると、クランプ１５はピン１６回りに時計方向に回動して底蓋１４のフック１９がクランプ１５から外れ、底蓋１４はその自重により落下するとともに、ヒンジ１８に設けられたスプリング（図示省略）によって付勢され、図２に示すように、ヒンジ１８回りに反時計方向に回動する。
【００２３】
このとき、底蓋１４の回動に伴って、掻き出し部材３５もヒンジ１８回りに反時計方向に回動する。その結果、容器本体１３の下部は開放され、集塵容器１１の内部にたまっていた塵埃（綿ゴミ）が排出される。特に、掻き出し部材３５の上記回動により、第１の集塵室２５に塵埃が圧縮されてたまっていても、その塵埃を容易かつ確実に排出することができる。
【００２４】
本実施例によれば、底蓋１４を開放すると、その開放動作に連動して掻き出し部材３５が回動するので、第１の集塵室２５内の塵埃を容易かつ確実に掻き出すことが可能となる。
【００２５】
また、把手１２上部の押しボタン部２１Ａを軽く押すだけで、底蓋１４が開き、同時に掻き出し部材３５が第１の集塵室２５内の塵埃を掻き出すので、塵埃を周囲に飛散させることなくゴミ箱等に回収することができる。
【００２６】
図４は掻き出し部材の変形例である。この変形例における掻き出し部材４０は、帯状ではなく、板状をなしている。すなわち、掻き出し部材４０は、図４に示すように、底蓋１４の蓋本体３４上に幅広板状の縦壁４０Ａが立設され、この縦壁４０Ａの上部に傾斜壁４０Ｂが縦壁４０Ａに一体的に設けられている。ここで、縦壁４０Ａは仕切壁２４の垂直部２４Ｃに平行に、傾斜壁４０Ｂは仕切壁２４の傾斜部２４Ｂに平行にそれぞれ配置されている。
【００２７】
傾斜壁４０Ｂには四角形の孔４０Ｃが多数形成されている。傾斜壁４０Ｂは仕切壁２４のネットフィルタ２７全面を覆うように配置されるが、吸込風は多数の孔４０Ｃを通ってネットフィルタ２７へと流れ、吸込風の流れが滞ることがないようになっている。
【００２８】
この変形例における掻き出し部材４０の場合も、図３の掻き出し部材３５と同様、底蓋１４を開放すると、その開放動作に連動して掻き出し部材４０全体がヒンジ１８（図１参照）回りに反時計方向に回動し、第１の集塵室２５の塵埃を容易かつ確実に掻き出すことができる。
【００２９】
なお、傾斜壁４０Ｂに形成する多数の孔としては、四角形に限らず、三角形、五角形または六角形等でもよく、もしくは円形や長円形等であってもよい。
【００３０】
図５は掻き出し部材の他の変形例である。この変形例における掻き出し部材４１は熊手状をなしている。すなわち、掻き出し部材４１は、図５に示すように、底蓋１４の蓋本体３４上に幅広板状の縦壁４１Ａが立設され、この縦壁４１Ａの上部に帯状をなす複数の傾斜壁４１Ｂが縦壁４１Ａに一体的に設けられている。ここで、縦壁４１Ａは仕切壁２４の垂直部２４Ｃに平行に、傾斜壁４１Ｂは仕切壁２４の傾斜部２４Ｂに平行にそれぞれ配置されている。
【００３１】
この変形例における掻き出し部材４１の場合も、図３の掻き出し部材３５と同様、底蓋１４を開放すると、その開放動作に連動して掻き出し部材４１全体がヒンジ１８回りに反時計方向に回動し、第１の集塵室２５の塵埃を容易かつ確実に掻き出すことができる。
【００３２】
なお、上記実施例や各変形例では、集塵容器１１の底部に蓋体として底蓋１４が設けられた構成であったが、集塵容器１１の側部に蓋体を設けるようにしてもよい。この場合は、集塵容器１１の側部を下に向けて前記蓋体を開けることにより、集塵容器１１内にたまった塵埃を排出することができる。
【図面の簡単な説明】
【００３３】
【図１】本発明に係る電気掃除機の集塵容器の断面図である。
【図２】底蓋を開いたときの集塵容器の断面図である。
【図３】掻き出し部材の全体構成を示しており、図２のＢ−Ｂ線に沿った断面図である。
【図４】掻き出し部材の変形例を示した図である。
【図５】掻き出し部材の他の変形例を示した図である。
【図６】本発明の集塵装置が装着された電気掃除機の側面図である。
【図７】従来技術による電気掃除機の集塵容器の断面図である。
【符号の説明】
【００３４】
１１  集塵容器
１２  把手
１３  容器本体
１４  底蓋
１５  クランプ
１７  付勢部材
１８  ヒンジ
１９  フック
２１  ロッド
２３  コイルスプリング
２４  仕切壁
２５  第１の集塵室
２６  第２の集塵室
２７  ネットフィルタ
３４  蓋本体
３５，４０，４１  掻き出し部材
３６  電動送風機
３７  掃除機本体
【図１】
2005152388.tif 000003
【図２】
2005152388.tif 000004
【図３】
2005152388.tif 000005
【図４】
2005152388.tif 000006
【図５】
2005152388.tif 000007
【図６】
2005152388.tif 000008
【図７】
2005152388.tif 000009